(57)【特許請求の範囲】
【請求項１】
リアマウントアングルに係合可能であるファスナーを設け、複数枚に分割して取り付けることができるリアパネルで背面部を被覆する、各種機器を収納するための機器収納用ラックにおいて、該機器収納用ラックの背面角部に設けられたリアマウントアングルには、前記リアパネルそれぞれの取り付け位置に、前記リアパネルの枚数分だけの切り欠き部を設け、前記リアマウントアングルに取り付けられる前記リアパネルの、前記切り欠き部と対向する位置に折曲部を設け、該折曲部を前記切り欠き部に対向させて前記リアパネルが前記リアマウントアングルに一致させたときに、前記リアパネルに設けられたファスナーによって前記リアパネルを前記リアマウントアングルに取り付け可能としたことを特徴とする機器収納用ラックの構造。
【発明の詳細な説明】
【０００１】
【産業上の利用分野】
リアマウントアングルに係合可能であるファスナーを設け、複数枚に分割して取り付けることができるリアパネルで背面部を被覆する、各種機器を収納するための機器収納用ラックのリアパネル取り付け構造に関する。
【０００２】
【従来の技術】
従来技術のおける機器収納用ラックでは、本体にタップ加工を施し、リアパネルをネジにより固定していた。
【０００３】
また、図４に示すように、本体背面部２１を複数に分割したパネルを取り付ける場合、上のリアパネル２２を支持するためにフレーム２３または金具を取り付ける。リアパネルをフレーム２３または金具に置き、上部に設けられたファスナーによって本体に固定していた。
【０００４】
【発明が解決しようとする課題】
しかしながら、上記従来技術における機器収納用ラックでは、ネジによって固定する場合、工具を用いてネジを締め付けたり緩めたりしてリアパネルの取り付け、取り外しを行うので組み立て時間がかかるという欠点があった。また、上下にパネルを分割して取り付ける場合、下パネルに上パネルを重ねるので、下パネルのみを外すことはできなかった。また、取り付けの際、パネル間の隙間の調整は、煩雑な作業であった。
【０００５】
また、ファスナーにより固定する場合、リアパネルを外しても、フレームまたは金具は、本体に残るため、メンテナンス等の作業に邪魔になり、作業性が低下していた。
【０００６】
【課題を解決するための手段】
そこで本発明は、簡単な構造で、リアパネルの取り付け、取り外しが容易に行える機器収納用ラックの構造を提供することを目的とし、その構造は、機器収納用ラックの背面角部に設けられたリアマウントアングルには、リアパネルそれぞれの取り付け位置に、リアパネルの枚数分だけの切り欠き部を設け、リアマウントアングルに取り付けられるリアパネルの、切り欠き部と対向する位置に折曲部を設け、折曲部を切り欠き部に対向させてリアパネルがリアマウントアングルに一致させたときに、リアパネルに設けられたファスナーによってリアパネルをリアマウントアングルに取り付け可能としたことである。
【０００７】
【発明の実施の形態】
本発明に係る機器収納用ラックは、本体にリアマウントアングルをねじ止めし、リアパネルには、ファスナーを取り付けると共に折曲部を設け、リアマウントアングルに設けた切り欠き部にリアパネルとリアマウントアングルを一致させ、ファスナーをリアマウントアングルに引っ掛けてリアパネルを固定する。
【０００８】
【実施例】
本発明に係る機器収納用ラックの実施例を図１〜図３の添付図面に基づいて説明する。
【０００９】
図１に示すように、本発明に係る機器収納用ラック１は、本体２の背面角部にリアマウントアングル３を取り付ける。リアマウントアングル３には切り欠き部４をリアパネル５の取り付け位置に対向させて設ける。リアパネル５には、ファスナー６とリアマウントアングル３の切り欠き部４に対向する位置に階段状に折曲部７を形成する。
【００１０】
図２に示すように、リアパネル５を本体２に取り付けるには、リアパネル５の折曲部７をリアマウントアングル３に設けた切り欠き部４に引っ掛け、リアパネル５を本体２側に倒す。ファスナー６にはリアパネル５をリアマウントアングル３に固定するための係合部８があり、ファスナー６が、リアマウントアングル３に当たると係合部８が倒れ、リアパネル５がリアマウントアングル３に一致すると係合部７が元の位置に戻り、リアマウントアングル３に係合し、リアパネル５が本体２に固定される。
【００１１】
また、図３に示すように、リアパネル９を上パネル１０、下パネル１１というように複数枚に分割して取り付ける場合も、上パネル１０と下パネル１１にそれぞれ階段状の折曲部とファスナー１２を設ける。リアマウントアングル１３にリアパネル９の枚数分だけの切り欠き部１４を設け、それぞれの切り欠き部１４に上パネル１０または下パネル１１の折曲部を引っ掛け、リアパネル９を本体１５側に倒す。ファスナー１２は、リアマウントアングル１３に当たると係合部１６が倒れ、リアパネル９がリアマウントアングル１３に一致すると係合部１６が元の位置に戻り、リアマウントアングル１３に係合し、リアパネル９が本体１５に固定される。
【００１２】
図１、図３に示すように、リアパネル５、９は、リアマウントアングル３、１３に固定されるので、本体２、１５の背面部１７にリアパネル５、９以外に、上下にリアカバー１８を取り付ける等、リアパネル５、９の上下にスペースがとれない場合でも対応できる。
【００１３】
【発明の効果】
以上説明したように、本発明に係る機器収納用ラックは、機器収納用ラックの背面角部に設けられたリアマウントアングルには、リアパネルそれぞれの取り付け位置に、リアパネルの枚数分だけの切り欠き部を設け、リアマウントアングルに取り付けられるリアパネルの、切り欠き部と対向する位置に折曲部を設け、折曲部を切り欠き部に対向させてリアパネルがリアマウントアングルに一致させたときに、リアパネルに設けられたファスナーによってリアパネルをリアマウントアングルに取り付け可能としたため、リアパネルの本体への取り付け、取り外しがワンタッチで工具も必要とせず可能となり、容易で、組み立て時間も短縮できる。従来の機器収納用ラックと比較して、リアパネルを本体に取り付けるためにフレームや金具を取り付ける必要がないので、組み立ても省力化が図れると共に、リアパネルを外したときに作業の邪魔になるものがなく、施工しやすくなる。また、リアパネルを複数枚に分割して取り付ける場合は、リアマウントアングルに切り欠き部を設けるだけ良く、一枚のパネルから複数のパネルへの変更もリアパネルの着脱のみの簡単な作業ですむ。リアパネルは、ファスナーによってリアマウントアングルに係合し、本体に固定され、従来のように上下のパネルを重ねて取り付けられるのではないため、個々のパネルをそれぞれ着脱することができ、作業性を向上させることができる。
【図面の簡単な説明】
【図１】  本発明に係る機器収納用ラックの実施例を示す分解斜視図である。
【図２】  本発明に係る機器収納用ラックのリアパネルの取り付け構造を示す断面図である。
【図３】  本発明に係る機器収納用ラックの実施例を示す分解斜視図である。
【図４】  従来技術における機器収納用ラックを示す分解斜視図である。
【符号の説明】
１      機器収納用ラック
２      本体
３      リアマウントアングル
４      切り欠き部
５      リアパネル
６      ファスナー
７      折曲部
８      係合部
９      リアパネル
１０    上パネル
１１    下パネル
１２    ファスナー
１３    リアマウントアングル
１４    切り欠き部
１５    本体
１６    係合部
１７    背面部
１８    リアカバー
【図１】
0004356956.tif 000002
【図２】
0004356956.tif 000003
【図３】
0004356956.tif 000004
【図４】
0004356956.tif 000005